(57)【要約】本願は、送液弁の作動制御方法を開示し、該方法は、所定量の液体材料が送液弁を介して調理部に入るように、給液命令に応答して送液弁を開弁させるように制御することと、送液弁の開弁中に、開弁時間がタイミング時間以上であるか否かを検出し、調理部内の液体量が給液命令に対応する目標液体量以上であるか否かを検出することと、送液弁の開弁中の検出結果に基づいて、送液弁を閉じたままにして電源を切るように制御するか、又は送液弁を再度開弁して液体を供給するように制御することと、を含む。該作動制御方法によれば、送液弁の長時間作動により発熱して焼損を引き起こす可能性を効果的に低減することができる。さらに、送液弁の作動制御装置、調理器具及びコンピュータ読み取り可能な記憶媒体を開示する。【選択図】図１
2021526697.tif 000002
【特許請求の範囲】
【請求項１】
調理部内への液体材料供給の流量及び／又は流速を制御するための送液弁の作動制御方法であって、
所定量の液体材料が前記送液弁を介して前記調理部に入るように、給液命令に応答して前記送液弁を開弁させるように制御することと、
前記送液弁の開弁中に、開弁時間がタイミング時間以上であるか否かを検出し、前記調理部内の液体量が前記給液命令に対応する目標液体量以上であるか否かを検出することと、
前記送液弁の開弁中の検出結果に基づいて、前記送液弁を閉じたままにして電源を切るように制御するか、又は前記送液弁を再度開弁して液体を供給するように制御することと、を含む
送液弁の作動制御方法。
【請求項２】
前記送液弁の開弁の累積時間が予め設定された合計時間以上であると検出された場合、前記調理部内に入った液体量が前記目標液体量より小さいか否かを判定することと、
前記調理部内に入った液体量が前記目標液体量より小さいと判定された場合、前記送液弁を閉じたままにして電源を切るように制御し、給液不足という提示情報を生成することと、をさらに含む
請求項１に記載の送液弁の作動制御方法。
【請求項３】
前記送液弁の開弁中の検出結果に基づいて、前記送液弁を閉じたままにして電源を切るように制御するか、又は前記送液弁を再度開弁して液体を供給するように制御することは、具体的には、
前記送液弁の開弁中に、前記開弁時間が前記タイミング時間以上であると検出され、且つ前記調理部内の液体量が前記目標液体量より小さいと検出された場合、前記送液弁を閉弁して、一定のインターバル時間、電源を切るように制御することと、
前記送液弁の電源切れ時間が前記インターバル時間以上であると検出された場合、前記送液弁を再度開弁するように制御することと、を含む
請求項１又は２に記載の送液弁の作動制御方法。
【請求項４】
前記送液弁の開弁中の検出結果に基づいて、前記送液弁を閉じたままにして電源を切るように制御するか、又は前記送液弁を再度開弁して液体を供給するように制御することは、具体的には、
前記送液弁の開弁中に、前記調理部内の液体量が前記目標液体量以上であると検出された場合、前記送液弁を閉弁して電源を切るように制御することを含む
請求項１又は２に記載の送液弁の作動制御方法。
【請求項５】
前記提示情報は音響提示情報、光学提示情報、振動提示情報及び通信提示情報のうちの少なくとも１つを含む
請求項２に記載の送液弁の作動制御方法。
【請求項６】
調理部内への液体材料供給の流量及び／又は流速を制御するための送液弁の作動制御装置であって、
所定量の液体材料が前記送液弁を介して前記調理部に入るように、給液命令に応答して前記送液弁を開弁させるように制御するための制御モジュールと、
前記送液弁の開弁中に、開弁時間がタイミング時間以上であるか否かを検出し、前記調理部内の液体量が前記給液命令に対応する目標液体量以上であるか否かを検出するための検出モジュールと、
前記送液弁の開弁中の検出結果に基づいて、前記送液弁を閉じたままにして電源を切るように制御するか、又は前記送液弁を再度開弁して液体を供給するように制御するための決定モジュールと、を含む
送液弁の作動制御装置。
【請求項７】
前記送液弁の開弁の累積時間が予め設定された合計時間以上であると検出された場合、前記調理部内に入った液体量が前記目標液体量より小さいか否かを判定するための判定モジュールをさらに含み、
前記制御モジュールは、さらに、前記調理部内に入った液体量が前記目標液体量より小さいと判定された場合、前記送液弁を閉じたままにして電源を切るように制御し、給液不足という提示情報を生成するために用いられる
請求項６に記載の送液弁の作動制御装置。
【請求項８】
前記制御モジュールは、さらに、前記送液弁の開弁中に、前記開弁時間が前記タイミング時間以上であると検出され、且つ前記調理部内の液体量が前記目標液体量より小さいと検出された場合、前記送液弁を閉弁して、一定のインターバル時間、電源を切るように制御するために用いられ、
前記制御モジュールは、さらに、前記送液弁の電源切れ時間が前記インターバル時間以上であると検出された場合、前記送液弁を再度開弁するように制御するために用いられる
請求項６又は７に記載の送液弁の作動制御装置。
【請求項９】
前記制御モジュールは、さらに、前記送液弁の開弁中に、前記調理部内の液体量が前記目標液体量以上であると検出された場合、前記送液弁を閉弁して電源を切るように制御するために用いられる
請求項６又は７に記載の送液弁の作動制御装置。
【請求項１０】
前記提示情報は音響提示情報、光学提示情報、振動提示情報及び通信提示情報のうちの少なくとも１つを含む
請求項７に記載の送液弁の作動制御装置。
【請求項１１】
メモリと、プロセッサと、前記メモリに記憶され、前記プロセッサ上で実行可能なプログラムであって、前記プロセッサによって実行されると請求項１から５のいずれか一項に記載の送液弁の作動制御方法のステップを実現するプログラムと、を含み、及び／又は、
請求項６から１０のいずれか一項に記載の送液弁の作動制御装置を含む
調理器具。
【請求項１２】
コンピュータプログラムが記憶されているコンピュータ読み取り可能な記憶媒体であって、前記コンピュータプログラムが実行されると、請求項１から５のいずれか一項に記載の送液弁の作動制御方法のステップを実現する
コンピュータ読み取り可能な記憶媒体。
【発明の詳細な説明】
【技術分野】
【０００１】
本願は、２０１８年１０月３１日に中国特許庁に提出された、出願番号が２０１８１１２９１５０１．４であり、発明の名称が「送液弁の作動制御方法、装置、調理器具及び記憶媒体」である中国特許出願の優先権を主張し、その内容の全てを援用することにより本願に取り入れる。
【０００２】
本願は、弁技術の分野に関し、具体的には、送液弁の作動制御方法、送液弁の作動制御装置、調理器具及びコンピュータ読み取り可能な記憶媒体に関する。
【背景技術】
【０００３】
ユーザの操作手順の簡素化と調理待ち時間の短縮のため、米の供給、水の供給、米の洗浄、米の洗浄水の排出、鍋への米入れ、加熱調理、及び保温などのプロセスを自動的に実行できる自動調理器具が開発されている。
【０００４】
関連技術では、上記自動調理器具の高度な構造集積度により、故障が発生すると、修理のためにユーザの多くの時間と経済的コストを費やす必要がある。一方で、上記調理器具の自動調理機能の利点は、主に材料と液体材料を添加する精度に反映されるが、特に添加される液体材料に対する精度要件がより高い。それならば給液の流速が速すぎないようにする必要があるが、これにより、送液弁の動作時間が長くなり、発熱して焼損することになり、これは、調理器具の重大な故障を引き起こすだけでなく、電気製品の潜在的危険も引き起しかねない。
【発明の概要】
【発明が解決しようとする課題】
【０００５】
本願は、従来技術又は関連技術における技術的課題の少なくとも１つを解決することを目的とする。
【０００６】
そのため、本願の第１の目的は、送液弁の作動制御方法を提供する。
【０００７】
本願の第２の目的は、送液弁の作動制御装置を提供する。
【０００８】
本願の第３の目的は、調理器具を提供する。
【０００９】
本願の第４の目的は、コンピュータ読み取り可能な記憶媒体を提供する。
【００１０】
上記の目的を達成するために、本願の第１の態様の実施例は、所定量の液体材料が送液弁を介して調理部に入るように、給液命令に応答して送液弁を開弁させるように制御することと、送液弁の開弁中に、開弁時間がタイミング時間以上であるか否かを検出し、調理部内の液体量が給液命令に対応する目標液体量以上であるか否かを検出することと、送液弁の開弁中の検出結果に基づいて、送液弁を閉じたままにして電源を切るように制御するか、又は送液弁を再度開弁して液体を供給するように制御することと、を含む送液弁の作動制御方法を提供する。
【００１１】
当該技術的手段において、所定量の液体材料が送液弁を介して調理部に入るように、給液命令に応答して送液弁を開弁させるように制御し、送液弁の開弁中に、開弁時間がタイミング時間以上であるか否かを検出し、調理部内の液体量が給液命令に対応する目標液体量以上であるか否かを検出し、最後に送液弁の開弁中の検出結果に基づいて、送液弁を閉じたままにして電源を切るように制御するか、又は送液弁を再度開弁して液体を供給するように制御し、これにより、送液弁の長時間連続作動により発熱して焼損を引き起こす可能性を効果的に低減することができる。
【００１２】
ここで、調理プロセスで必要な目標液体量は一般的に多いが、送液弁が属する給液管路は調理器具の本体構造に集積するために、通常は給液管路が細く設置され、即ち、単位時間当たりの流量が目標液体量よりも遥かに低い。そこで、送液弁のモータが長時間動作して焼損することを低減するために、所定量の液体を、送液弁を介して調理部内に数回に分けて供給し、また、液体量制御の正確性と信頼性を効果的に高めることができる。
【００１３】
また、大量の実験データに基づいて、上記の送液弁の１回の開弁のタイミング時間の数値範囲は３０秒〜１２０秒が好ましいと決定することができる。
【００１４】
上記いずれかの技術的手段において、好ましくは、送液弁の開弁の累積時間が予め設定された合計時間以上であると計時すると、調理部内に入った液体量が目標液体量以上であるか否かを判定することと、調理部内に入った液体量が目標液体量より小さいと判定された場合、送液弁を閉じたままにして電源を切るように制御し、給液不足という提示情報を生成することと、をさらに含む。
【００１５】
当該技術的手段において、送液弁の開弁の累積時間が予め設定された合計時間以上であると計時すると、調理部内に入った液体量が目標液体量以上であるか否かを判定し、そして、調理部内に入った液体量が目標液体量より小さいと判定された場合、送液弁を閉じたままにして電源を切るように制御し、給液不足という提示情報を生成する。即ち、送液弁のモータの焼損を低減するために、送液弁の１回の開弁のタイミング時間を監視するだけでなく、送液弁の動作の合計時間も監視する必要があり、送液弁の動作の合計時間が予め設定された合計時間以上であるが、それでも給液要求が満たされない場合、提示情報により調理部内に液体量を補充し続けるようにユーザに指示する。
【００１６】
ここで、大量の実験データに基づいて、上記の予め設定された合計時間は９０分間〜１８０分間が好ましいと決定することができる。
【００１７】
上記いずれかの技術的手段において、好ましくは、送液弁の開弁中の検出結果に基づいて、送液弁を閉じたままにして電源を切るように制御するか、又は送液弁を再度開弁して液体を供給するように制御することは、具体的には、送液弁の開弁中に、開弁時間がタイミング時間以上であると検出され、且つ調理部内の液体量が前記目標液体量より小さいと検出された場合、送液弁を閉弁して、一定のインターバル時間、電源を切るように制御することと、送液弁の電源切れ時間がインターバル時間以上であると検出された場合、送液弁を再度開弁するように制御することと、を含む。
【００１８】
当該技術的手段において、送液弁の開弁中に、開弁時間がタイミング時間以上であると検出され、且つ調理部内の液体量が前記目標液体量より小さいと検出された場合、送液弁を閉弁して一定のインターバル時間電源を切るように制御し、送液弁の電源切れ時間がインターバル時間以上であると検出された場合、送液弁を再度開弁するように制御する。送液弁の信頼性をさらに向上させるために、送液弁が一定のタイミング時間開弁しても給液に必要な目標液体量より小さい場合、送液弁を再度開弁する前に、送液弁は一定のインターバル時間電源を切る必要があり、これにより送液弁のモータコイルの温度を低下させ、焼損の可能性をさらに低減する。
【００１９】
ここで、大量の実験データに基づいて、上記の送液弁の任意の２回の開弁のインターバル時間の数値範囲は３０秒〜１２０秒が好ましいと決定することができる。
【００２０】
上記いずれかの技術的手段において、好ましくは、送液弁の開弁中の検出結果に基づいて、送液弁を閉じたままにして電源を切るように制御するか、又は送液弁を再度開弁して液体を供給するように制御することは、具体的には、送液弁の開弁中に、調理部内の液体量が目標液体量以上であると検出された場合、送液弁を閉弁して電源を切るように制御することを含む。
【００２１】
当該技術的手段において、送液弁の開弁中に、調理部内の液体量が目標液体量以上であると検出された場合、送液弁を閉弁して電源を切るように制御する。即ち、液体量を検出することにより、即時に送液弁を閉弁して電源を切るように制御することで、液体量供給の正確性を向上させ、一方では、送液弁の動作時間を効果的に低減させ、送液弁のモータが焼損する可能性をさらに低減する。
【００２２】
上記いずれかの技術的手段において、好ましくは、提示情報は音響提示情報、光学提示情報、振動提示情報及び通信提示情報のうちの少なくとも１つを含む。
【００２３】
当該技術的手段において、調理部内に入った液体量が目標液体量より小さいと判定された場合、送液弁を閉じたままにして電源を切るように制御し、給液不足という提示情報を生成する。調理部内に液体量を供給し続けることを多様かつ直感的にユーザに提示できるだけでなく、調理部内の液体供給故障の有無を確認するようにユーザを案内したり、現場メンテナンスサービスを積極的に実行するようにアフターサービス担当者に指示したりすることもできる。
【００２４】
ここで、光学提示情報は調理器具のインジケーターライトを介して発せられ、音響提示情報は調理器具のスピーカーを介して発せられ、振動提示情報は調理器具のバイブレータを介して発せられ、通信提示情報はルータ、モバイルホットスポット、通信インタフェース及びＷｉ−Ｆｉ機器を介して関連する端末に転送される提示メッセージであり、関連端末は、サーバ、ユーザ端末、コンピュータ、ウェアラブルデバイス、及びスマートオーディオなどの機器であり得る。
【００２５】
本願の第２の態様の技術的手段にて提供される送液弁の作動制御装置は、所定量の液体材料が送液弁を介して調理部に入るように、給液命令に応答して送液弁を開弁させるように制御するための制御モジュールと、送液弁の開弁中に、開弁時間がタイミング時間以上であるか否かを検出し、調理部内の液体量が給液命令に対応する目標液体量以上であるか否かを検出するための検出モジュールと、送液弁の開弁中の検出結果に基づいて、送液弁を閉じたままにして電源を切るように制御するか、又は送液弁を再度開弁して液体を供給するように制御するための決定モジュールと、を含む。
【００２６】
当該技術的手段において、所定量の液体材料が送液弁を介して調理部に入るように、給液命令に応答して送液弁を開弁させるように制御し、送液弁の開弁中に、開弁時間がタイミング時間以上であるか否かを検出し、調理部内の液体量が給液命令に対応する目標液体量以上であるか否かを検出し、最後に送液弁の開弁中の検出結果に基づいて、送液弁を閉じたままにして電源を切るように制御するか、又は送液弁を再度開弁して液体を供給するように制御し、これにより、送液弁の長時間連続作動により発熱して焼損を引き起こす可能性を効果的に低減することができる。
【００２７】
ここで、調理プロセスで必要な目標液体量は一般的に多いが、送液弁が属する給液管路は調理器具の本体構造に集積するために、通常は給液管路が細く設置され、即ち、単位時間当たりの流量が目標液体量よりも遥かに低い。そこで、送液弁のモータが長時間動作して焼損することを低減するために、所定量の液体を、送液弁を介して調理部内に数回に分けて供給し、また、液体量制御の正確性と信頼性を効果的に高めることができる。
【００２８】
また、大量の実験データに基づいて、上記の送液弁の１回の開弁のタイミング時間の数値範囲は３０秒〜１２０秒が好ましいと決定することができる。
【００２９】
上記いずれかの技術的手段において、好ましくは、送液弁の開弁の累積時間が予め設定された合計時間以上であると計時すると、調理部内に入った液体量が目標液体量以上であるか否かを判定するための判定モジュールをさらに含み、制御モジュールは、さらに、調理部内に入った液体量が目標液体量より小さいと判定された場合、送液弁を閉じたままにして電源を切るように制御し、給液不足という提示情報を生成するために用いられる。
【００３０】
当該技術的手段において、送液弁の開弁の累積時間が予め設定された合計時間以上であると計時すると、調理部内に入った液体量が目標液体量以上であるか否かを判定し、そして、調理部内に入った液体量が目標液体量より小さいと判定された場合、送液弁を閉じたままにして電源を切るように制御し、給液不足という提示情報を生成する。即ち、送液弁のモータの焼損を低減するために、送液弁の１回の開弁のタイミング時間を監視するだけでなく、送液弁の動作の合計時間も監視する必要があり、送液弁の動作の合計時間が予め設定された合計時間以上であるが、それでも給液要求が満たされない場合、提示情報により調理部内に液体量を補充し続けるようにユーザに指示する。
【００３１】
ここで、大量の実験データに基づいて、上記の予め設定された合計時間は９０分間〜１８０分間が好ましいと決定することができる。
【００３２】
上記いずれかの技術的手段において、好ましくは、制御モジュールは、さらに、送液弁の開弁中に、開弁時間がタイミング時間以上であると検出され、且つ調理部内の液体量が前記目標液体量より小さいと検出された場合、送液弁を閉弁して一定のインターバル時間電源を切るように制御するために用いられ、制御モジュールは、さらに、送液弁の電源切れ時間がインターバル時間以上であると検出された場合、送液弁を再度開弁するように制御するために用いられる。
【００３３】
当該技術的手段において、送液弁の開弁中に、開弁時間がタイミング時間以上であると検出され、且つ調理部内の液体量が前記目標液体量より小さいと検出された場合、送液弁を閉弁して一定のインターバル時間電源を切るように制御し、送液弁の電源切れ時間がインターバル時間以上であると検出された場合、送液弁を再度開弁するように制御する。送液弁の信頼性をさらに向上させるために、送液弁が一定のタイミング時間開弁しても、給液に必要な目標液体量より小さい場合、送液弁を再度開弁する前に、送液弁は一定のインターバル時間電源を切る必要があり、これにより送液弁のモータコイルの温度を低下させ、焼損の可能性をさらに低減する。
【００３４】
ここで、大量の実験データに基づいて、上記の送液弁の任意の２回の開弁のインターバル時間の数値範囲は３０秒〜１２０秒が好ましいと決定することができる。
【００３５】
上記いずれかの技術的手段において、好ましくは、制御モジュールは、さらに、送液弁の開弁中に、調理部内の液体量が目標液体量以上であると検出された場合、送液弁を閉弁して電源を切るように制御するために用いられる。
【００３６】
当該技術的手段において、送液弁の開弁中に、調理部内の液体量が目標液体量以上であると検出された場合、送液弁を閉弁して電源を切るように制御する。即ち、液体量を検出することにより、即時に送液弁を閉弁して電源を切るように制御することで、液体量供給の正確性を向上させ、一方では、送液弁の動作時間を効果的に低減させ、送液弁のモータが焼損する可能性をさらに低減する。
【００３７】
上記いずれかの技術的手段において、好ましくは、提示情報は音響提示情報、光学提示情報、振動提示情報及び通信提示情報のうちの少なくとも１つを含む。
【００３８】
当該技術的手段において、調理部内に入った液体量が目標液体量より小さいと判定された場合、送液弁を閉じたままにして電源を切るように制御し、給液不足という提示情報を生成し、調理部内に液体量を供給し続けることを多様かつ直感的にユーザに提示できるだけでなく、調理部内の液体供給故障の有無を確認するようにユーザを案内したり、現場メンテナンスサービスを積極的に実行するようにアフターサービス担当者に指示したりすることもできる。
【００３９】
ここで、光学提示情報は調理器具のインジケーターライトを介して発せられ、音響提示情報は調理器具のスピーカーを介して発せられ、振動提示情報は調理器具のバイブレータを介して発せられ、通信提示情報はルータ、モバイルホットスポット、通信インタフェース及びＷｉ−Ｆｉ機器を介して関連する端末に転送される提示メッセージであり、関連端末は、サーバ、ユーザ端末、コンピュータ、ウェアラブルデバイス、及びスマートオーディオなどの機器であり得る。
【００４０】
本願の第３の態様の技術的手段にて提供される調理器具は、メモリと、プロセッサと、メモリに記憶され、プロセッサ上で実行可能なプログラムであって、プロセッサによって実行されると上記いずれかの技術的手段に記載の送液弁の作動制御方法のステップを実現するプログラムとを含み、及び／又は、上記いずれかの技術的手段に記載の送液弁の作動制御装置を含む。
【００４１】
本願の第３の態様の実施例にて提供される調理器具は、上記第２の態様のいずれかの実施例に係る全ての有益な効果を有するものであるので、ここで詳細な説明は省略する。
【００４２】
本願の第４の態様の技術的手段にて提供されるコンピュータ読み取り可能な記憶媒体は、コンピュータプログラムが記憶されており、コンピュータプログラムが実行されると、上記いずれかの技術的手段に記載の送液弁の作動制御方法を実現する。
【００４３】
本願の付加的な態様及び利点は下記の説明に示され、一部は下記の説明により明瞭になるか、本願を実施することで理解される。
【００４４】
本願の上記及び／又は付加的な態様及び利点は、下記の図面を用いて実施例を説明することで明瞭になり理解しやすいものになる。
【図面の簡単な説明】
【００４５】
【図１】図１は、本願の実施例１に係る送液弁の作動制御方法を概略的に示すフローチャートである。
【図２】図２は、本願の実施例２に係る送液弁の作動制御方法を概略的に示すフローチャートである。
【図３】図３は、本願の実施例３に係る送液弁の作動制御装置を概略的に示すブロック図である。
【図４】図４は、本願の実施例４に係る調理器具を概略的に示すブロック図である。
【発明を実施するための形態】
【００４６】
本願の上記の目的、特徴及び利点をより明確に理解することを可能にするため、以下に、図面及び具体的な実施形態と結び付けて本願をより詳細に説明する。なお、矛盾が生じない限り、本願の実施例及び実施例に係る特徴は互いに組み合わせることができる。
【００４７】
下記の説明において本願の十分な理解のために多くの具体的で詳細な内容を記載しているが、本願は、ここで説明されているものと違う形態によって実施されてもよく、したがって、本願の保護範囲は以下開示される具体的な実施例に限定されない。
【実施例１】
【００４８】
図１は、本願の実施例１に係る送液弁の作動制御方法を概略的に示すフローチャートである。
【００４９】
図１に示すように、本願の実施例１に係る送液弁の作動制御方法は、所定量の液体材料が送液弁を介して調理部に入るように、給液命令に応答して送液弁を開弁させるように制御するステップＳ１０２と、送液弁の開弁中に、開弁時間がタイミング時間以上であるか否かを検出し、調理部内の液体量が給液命令に対応する目標液体量以上であるか否かを検出するステップＳ１０４と、送液弁の開弁中の検出結果に基づいて、送液弁を閉じたままにして電源を切るように制御するか、又は送液弁を再度開弁して液体を供給するように制御するステップＳ１０６と、を含む。
【００５０】
当該技術的手段において、所定量の液体材料が送液弁を介して調理部に入るように、給液命令に応答して送液弁を開弁させるように制御し、送液弁の開弁中に、開弁時間がタイミング時間以上であるか否かを検出し、調理部内の液体量が給液命令に対応する目標液体量以上であるか否かを検出し、最後に送液弁の開弁中の検出結果に基づいて、送液弁を閉じたままにして電源を切るように制御するか、又は送液弁を再度開弁して液体を供給するように制御し、これにより、送液弁の長時間連続作動により発熱して焼損を引き起こす可能性を効果的に低減することができる。
【００５１】
ここで、調理プロセスで必要な目標液体量は一般的に多いが、送液弁が属する給液管路は調理器具の本体構造に集積するために、通常は給液管路が細く設置され、即ち、単位時間当たりの流量が目標液体量よりも遥かに低い。そこで、送液弁のモータが長時間動作して焼損することを低減するために、所定量の液体を、送液弁を介して調理部内に数回に分けて供給し、また、液体量制御の正確性と信頼性を効果的に高めることができる。
【００５２】
また、大量の実験データに基づいて、上記の送液弁の１回の開弁のタイミング時間の数値範囲は３０秒〜１２０秒が好ましいと決定することができる。
【００５３】
上記いずれかの技術的手段において、好ましくは、送液弁の開弁の累積時間が予め設定された合計時間以上であると計時すると、調理部内に入った液体量が目標液体量以上であるか否かを判定することと、調理部内に入った液体量が目標液体量より小さいと判定された場合、送液弁を閉じたままにして電源を切るように制御し、給液不足という提示情報を生成することと、をさらに含む。
【００５４】
当該技術的手段において、送液弁の開弁の累積時間が予め設定された合計時間以上であると計時すると、調理部内に入った液体量が目標液体量以上であるか否かを判定し、そして、調理部内に入った液体量が目標液体量より小さいと判定された場合、送液弁を閉じたままにして電源を切るように制御し、給液不足という提示情報を生成する。即ち、送液弁のモータの焼損を低減するために、送液弁の１回の開弁のタイミング時間を監視するだけでなく、送液弁の動作の合計時間も監視する必要があり、送液弁の動作の合計時間が予め設定された合計時間以上であるが、それでも給液要求が満たされない場合、提示情報により調理部内に液体量を補充し続けるようにユーザに指示する。
【００５５】
ここで、大量の実験データに基づいて、上記の予め設定された合計時間は９０分間〜１８０分間が好ましいと決定することができる。
【００５６】
上記いずれかの技術的手段において、好ましくは、送液弁の開弁中の検出結果に基づいて、送液弁を閉じたままにして電源を切るように制御するか、又は送液弁を再度開弁して液体を供給するように制御することは、具体的には、送液弁の開弁中に、開弁時間がタイミング時間以上であると検出され、且つ調理部内の液体量が前記目標液体量より小さいと検出された場合、送液弁を閉弁して一定のインターバル時間電源を切るように制御することと、送液弁の電源切れ時間がインターバル時間以上であると検出された場合、送液弁を再度開弁するように制御することと、を含む。
【００５７】
当該技術的手段において、送液弁の開弁中に、開弁時間がタイミング時間以上であると検出され、且つ調理部内の液体量が前記目標液体量より小さいと検出された場合、送液弁を閉弁して一定のインターバル時間電源を切るように制御し、送液弁の電源切れ時間がインターバル時間以上であると検出された場合、送液弁を再度開弁するように制御する。送液弁の信頼性をさらに向上させるために、送液弁が一定のタイミング時間開弁しても、給液に必要な目標液体量より小さい場合、送液弁を再度開弁する前に、送液弁は一定のインターバル時間電源を切る必要があり、これにより送液弁のモータコイルの温度を低下させ、焼損の可能性をさらに低減する。
【００５８】
ここで、大量の実験データに基づいて、上記の送液弁の任意の２回の開弁のインターバル時間の数値範囲は３０秒〜１２０秒が好ましいと決定することができる。
【００５９】
上記いずれかの技術的手段において、好ましくは、送液弁の開弁中の検出結果に基づいて、送液弁を閉じたままにして電源を切るように制御するか、又は送液弁を再度開弁して液体を供給するように制御することは、具体的には、送液弁の開弁中に、調理部内の液体量が目標液体量以上であると検出された場合、送液弁を閉弁して電源を切るように制御することを含む。
【００６０】
当該技術的手段において、送液弁の開弁中に、調理部内の液体量が目標液体量以上であると検出された場合、送液弁を閉弁して電源を切るように制御する。即ち、液体量を検出することにより、即時に送液弁を閉弁して電源を切るように制御することで、液体量供給の正確性を向上させ、一方では、送液弁の動作時間を効果的に低減させ、送液弁のモータが焼損する可能性をさらに低減する。
【００６１】
上記いずれかの技術的手段において、好ましくは、提示情報は音響提示情報、光学提示情報、振動提示情報及び通信提示情報のうちの少なくとも１つを含む。
【００６２】
当該技術的手段において、調理部内に入った液体量が目標液体量より小さいと判定された場合、送液弁を閉じたままにして電源を切るように制御し、給液不足という提示情報を生成する。調理部内に液体量を供給し続けることを多様かつ直感的にユーザに提示できるだけでなく、調理部内の液体供給故障の有無を確認するようにユーザを案内したり、現場メンテナンスサービスを積極的に実行するようにアフターサービス担当者に指示したりすることもできる。
【００６３】
ここで、光学提示情報は調理器具のインジケーターライトを介して発せられ、音響提示情報は調理器具のスピーカーを介して発せられ、振動提示情報は調理器具のバイブレータを介して発せられ、通信提示情報はルータ、モバイルホットスポット、通信インタフェース及びＷｉ−Ｆｉ機器を介して関連する端末に転送される提示メッセージであり、関連端末は、サーバ、ユーザ端末、コンピュータ、ウェアラブルデバイス、及びスマートオーディオなどの機器であり得る。
【実施例２】
【００６４】
図２は、本願の実施例２に係る送液弁の作動制御方法を概略的に示すフローチャートである。
【００６５】
図２に示すように、本願の実施例２に係る送液弁の作動制御方法は、調理部内への給液を停止するように、送液弁を閉弁するように制御するステップＳ２０２と、給液命令を解析して目標送液量ｍ０及び調理部内に入った液体量ｍ１を記録し、同時にタイマーＴｉｍｅｒ１を起動してクリアするステップＳ２０４と、インジケーターライト、ブザー、画面提示及び携帯電話メッセージなどの少なくとも１つの方式でユーザに水不足を提示するステップＳ２０６と、タイミングＴ０にして送液弁を開弁し、調理部内への給液継続を試みるステップＳ２０８と、ｍ１がｍ０以上であるか否かを判定し、そうであれば、ステップＳ２１２を実行し、そうでなければ、ステップＳ２１４を実行するステップＳ２１０と、給液命令に続く予め設定された調理プロセスの実行を継続するステップＳ２１２と、送液弁を再度閉弁するステップＳ２１４と、Ｔｉｍｅｒ１を読み取り、その読み取り値をｔ１として記録するステップＳ２１６と、ｔ１が第４の予め設定された時間Ｔ１より小さいか否かを判定し、そうであれば、ステップＳ２１２を実行し、そうでなければ、ステップＳ２２０を実行するステップＳ２１８と、給液命令に続く予め設定された調理プロセスを終了し、インジケーターライト、ブザー、画面提示及び携帯電話メッセージなどの少なくとも１つの方式でユーザに水不足で調理を終了したことを提示するステップＳ２２０と、を含む。
【実施例３】
【００６６】
図３は、本願の実施例３に係る送液弁の作動制御装置を概略的に示すブロック図である。
【００６７】
図３に示すように、本願の実施例３に係る送液弁の作動制御装置３００は、所定量の液体材料が送液弁を介して調理部に入るように、給液命令に応答して送液弁を開弁させるように制御するための制御モジュール３０２と、送液弁の開弁中に、開弁時間がタイミング時間以上であるか否かを検出し、調理部内の液体量が給液命令に対応する目標液体量以上であるか否かを検出するための検出モジュール３０４と、送液弁の開弁中の検出結果に基づいて、送液弁を閉じたままにして電源を切るように制御するか、又は送液弁を再度開弁して液体を供給するように制御するための決定モジュール３０６と、を含む。
【００６８】
当該技術的手段において、所定量の液体材料が送液弁を介して調理部に入るように、給液命令に応答して送液弁を開弁させるように制御し、送液弁の開弁中に、開弁時間がタイミング時間以上であるか否かを検出し、調理部内の液体量が給液命令に対応する目標液体量以上であるか否かを検出し、最後に送液弁の開弁中の検出結果に基づいて、送液弁を閉じたままにして電源を切るように制御するか、又は送液弁を再度開弁して液体を供給するように制御し、これにより、送液弁の長時間連続作動により発熱して焼損を引き起こす可能性を効果的に低減することができる。
【００６９】
ここで、調理プロセスで必要な目標液体量は一般的に多いが、送液弁が属する給液管路は調理器具の本体構造に集積するために、通常は給液管路が細く設置され、即ち、単位時間当たりの流量が目標液体量よりも遥かに低い。そこで、送液弁のモータが長時間動作して焼損することを低減するために、所定量の液体を、送液弁を介して調理部内に数回に分けて供給し、また、液体量制御の正確性と信頼性を効果的に高めることができる。
【００７０】
また、大量の実験データに基づいて、上記の送液弁の１回の開弁のタイミング時間の数値範囲は３０秒〜１２０秒が好ましいと決定することができる。
【００７１】
上記いずれかの技術的手段において、好ましくは、送液弁の開弁の累積時間が予め設定された合計時間以上であると計時すると、調理部内に入った液体量が目標液体量以上であるか否かを判定するための判定モジュール３０８をさらに含み、制御モジュール３０２は、さらに、調理部内に入った液体量が目標液体量より小さいと判定された場合、送液弁を閉じたままにして電源を切るように制御し、給液不足という提示情報を生成するために用いられる。
【００７２】
当該技術的手段において、送液弁の開弁の累積時間が予め設定された合計時間以上であると計時すると、調理部内に入った液体量が目標液体量以上であるか否かを判定し、そして、調理部内に入った液体量が目標液体量より小さいと判定された場合、送液弁を閉じたままにして電源を切るように制御し、給液不足という提示情報を生成する。即ち、送液弁のモータの焼損を低減するために、送液弁の１回の開弁のタイミング時間を監視するだけでなく、送液弁の動作の合計時間も監視する必要があり、送液弁の動作の合計時間が予め設定された合計時間以上であるが、それでも給液要求が満たされない場合、提示情報により調理部内に液体量を補充し続けるようにユーザに指示する。
【００７３】
ここで、大量の実験データに基づいて、上記の予め設定された合計時間は９０分間〜１８０分間が好ましいと決定することができる。
【００７４】
上記いずれかの技術的手段において、好ましくは、制御モジュール３０２は、さらに、送液弁の開弁中に、開弁時間がタイミング時間以上であると検出され、且つ調理部内の液体量が前記目標液体量より小さいと検出された場合、送液弁を閉弁して一定のインターバル時間電源を切るように制御するために用いられ、制御モジュール３０２は、さらに、送液弁の電源切れ時間がインターバル時間以上であると検出された場合、送液弁を再度開弁するように制御するために用いられる。
【００７５】
当該技術的手段において、送液弁の開弁中に、開弁時間がタイミング時間以上であると検出され、且つ調理部内の液体量が前記目標液体量より小さいと検出された場合、送液弁を閉弁して一定のインターバル時間電源を切るように制御し、送液弁の電源切れ時間がインターバル時間以上であると検出された場合、送液弁を再度開弁するように制御する。送液弁の信頼性をさらに向上させるために、送液弁が一定のタイミング時間開弁しても、給液に必要な目標液体量より小さい場合、送液弁を再度開弁する前に、送液弁は一定のインターバル時間電源を切る必要があり、これにより送液弁のモータコイルの温度を低下させ、焼損の可能性をさらに低減する。
【００７６】
ここで、大量の実験データに基づいて、上記の送液弁の任意の２回の開弁のインターバル時間の数値範囲は３０秒〜１２０秒が好ましいと決定することができる。
【００７７】
上記いずれかの技術的手段において、好ましくは、制御モジュール３０２は、さらに、送液弁の開弁中に、調理部内の液体量が目標液体量以上であると検出された場合、送液弁を閉弁して電源を切るように制御するために用いられる。
【００７８】
当該技術的手段において、送液弁の開弁中に、調理部内の液体量が目標液体量以上であると検出された場合、送液弁を閉弁して電源を切るように制御する。即ち、液体量を検出することにより、即時に送液弁を閉弁して電源を切るように制御することで、液体量供給の正確性を向上させ、一方では、送液弁の動作時間を効果的に低減させ、送液弁のモータが焼損する可能性をさらに低減する。
【００７９】
上記いずれかの技術的手段において、好ましくは、提示情報は音響提示情報、光学提示情報、振動提示情報及び通信提示情報のうちの少なくとも１つを含む。
【００８０】
当該技術的手段において、調理部内に入った液体量が目標液体量より小さいと判定された場合、送液弁を閉じたままにして電源を切るように制御し、給液不足という提示情報を生成し、調理部内に液体量を供給し続けることを多様かつ直感的にユーザに提示できるだけでなく、調理部内の液体供給故障の有無を確認するようにユーザを案内したり、現場メンテナンスサービスを積極的に実行するようにアフターサービス担当者に指示したりすることもできる。
【００８１】
ここで、光学提示情報は調理器具のインジケーターライトを介して発せられ、音響提示情報は調理器具のスピーカーを介して発せられ、振動提示情報は調理器具のバイブレータを介して発せられ、通信提示情報はルータ、モバイルホットスポット、通信インタフェース及びＷｉ−Ｆｉ機器を介して関連する端末に転送される提示メッセージであり、関連端末は、サーバ、ユーザ端末、コンピュータ、ウェアラブルデバイス、及びスマートオーディオなどの機器であり得る。
【実施例４】
【００８２】
図４は、本願の実施例４に係る調理器具を概略的に示すブロック図である。
【００８３】
図４に示すように、本願の実施例４に係る調理器具４００は、メモリと、プロセッサと、メモリに記憶され、プロセッサ上で実行可能なプログラムであって、プロセッサによって実行されると上記いずれかの技術的手段に記載の送液弁の作動制御方法のステップを実現するプログラムとを含み、及び／又は、上記いずれかの技術的手段に記載の送液弁の作動制御装置３００を含む。
【００８４】
ここで、送液弁の作動制御装置３００はＭＣＵ、ＣＰＵ、ＤＳＰ、ワンチップマイコン及び組み込み機器などのコントローラと互換性があり、制御モジュール３０２、決定モジュール３０６及び判定モジュール３０８は論理演算装置、汎用Ｉ／Ｏインタフェース、比較器及びメモリなどの電子部品を含んでもよく、検出モジュール３０４は流量計、液面センサ、重量センサ、赤外線センサ及び画像収集器などのセンサを含んでもよいし、さらにフィルター、整流器及びスイッチング素子などの素子を含む信号処理回路を含んでもよい。
【実施例５】
【００８５】
本願の実施例５によれば、コンピュータ読み取り可能な記憶媒体を提供し、コンピュータ読み取り可能な記憶媒体にコンピュータプログラムが記憶されており、コンピュータプログラムが実行されると、所定量の液体材料が送液弁を介して調理部に入るように、給液命令に応答して送液弁を開弁させるように制御することと、送液弁の開弁中に、開弁時間がタイミング時間以上であるか否かを検出し、調理部内の液体量が給液命令に対応する目標液体量以上であるか否かを検出することと、送液弁の開弁中の検出結果に基づいて、送液弁を閉じたままにして電源を切るように制御するか、又は送液弁を再度開弁して液体を供給するように制御することと、を実現する。
【００８６】
当該技術的手段において、所定量の液体材料が送液弁を介して調理部に入るように、給液命令に応答して送液弁を開弁させるように制御し、送液弁の開弁中に、開弁時間がタイミング時間以上であるか否かを検出し、調理部内の液体量が給液命令に対応する目標液体量以上であるか否かを検出し、最後に送液弁の開弁中の検出結果に基づいて、送液弁を閉じたままにして電源を切るように制御するか、又は送液弁を再度開弁して液体を供給するように制御し、これにより、送液弁の長時間連続作動により発熱して焼損を引き起こす可能性を効果的に低減することができる。
【００８７】
ここで、調理プロセスで必要な目標液体量は一般的に多いが、送液弁が属する給液管路は調理器具の本体構造に集積するために、通常は給液管路が細く設置され、即ち、単位時間当たりの流量が目標液体量よりも遥かに低い。そこで、送液弁のモータが長時間動作して焼損することを低減するために、所定量の液体を、送液弁を介して調理部内に数回に分けて供給し、また、液体量制御の正確性と信頼性を効果的に高めることができる。
【００８８】
また、大量の実験データに基づいて、上記の送液弁の１回の開弁のタイミング時間の数値範囲は３０秒〜１２０秒が好ましいと決定することができる。
【００８９】
上記いずれかの技術的手段において、好ましくは、送液弁の開弁の累積時間が予め設定された合計時間以上であると計時すると、調理部内に入った液体量が目標液体量以上であるか否かを判定することと、調理部内に入った液体量が目標液体量より小さいと判定された場合、送液弁を閉じたままにして電源を切るように制御し、給液不足という提示情報を生成することと、をさらに含む。
【００９０】
当該技術的手段において、送液弁の開弁の累積時間が予め設定された合計時間以上であると計時すると、調理部内に入った液体量が目標液体量以上であるか否かを判定し、そして、調理部内に入った液体量が目標液体量より小さいと判定された場合、送液弁を閉じたままにして電源を切るように制御し、給液不足という提示情報を生成する。即ち、送液弁のモータの焼損を低減するために、送液弁の１回の開弁のタイミング時間を監視するだけでなく、送液弁の動作の合計時間も監視する必要があり、送液弁の動作の合計時間が予め設定された合計時間以上であるが、それでも給液要求が満たされない場合、提示情報により調理部内に液体量を補充し続けるようにユーザに指示する。
【００９１】
ここで、大量の実験データに基づいて、上記の予め設定された合計時間は９０分間〜１８０分間が好ましいと決定することができる。
【００９２】
上記いずれかの技術的手段において、好ましくは、送液弁の開弁中の検出結果に基づいて、送液弁を閉じたままにして電源を切るように制御するか、又は送液弁を再度開弁して液体を供給するように制御することは、具体的には、送液弁の開弁中に、開弁時間がタイミング時間以上であると検出され、且つ調理部内の液体量が前記目標液体量より小さいと検出された場合、送液弁を閉弁して一定のインターバル時間電源を切るように制御することと、送液弁の電源切れ時間がインターバル時間以上であると検出された場合、送液弁を再度開弁するように制御することと、を含む。
【００９３】
当該技術的手段において、送液弁の開弁中に、開弁時間がタイミング時間以上であると検出され、且つ調理部内の液体量が前記目標液体量より小さいと検出された場合、送液弁を閉弁して一定のインターバル時間電源を切るように制御し、送液弁の電源切れ時間がインターバル時間以上であると検出された場合、送液弁を再度開弁するように制御する。送液弁の信頼性をさらに向上させるために、送液弁が一定のタイミング時間開弁しても、給液に必要な目標液体量より小さい場合、送液弁を再度開弁する前に、送液弁は一定のインターバル時間電源を切る必要があり、これにより送液弁のモータコイルの温度を低下させ、焼損の可能性をさらに低減する。
【００９４】
ここで、大量の実験データに基づいて、上記の送液弁の任意の２回の開弁のインターバル時間の数値範囲は３０秒〜１２０秒が好ましいと決定することができる。
【００９５】
上記いずれかの技術的手段において、好ましくは、送液弁の開弁中の検出結果に基づいて、送液弁を閉じたままにして電源を切るように制御するか、又は送液弁を再度開弁して液体を供給するように制御することは、具体的には、送液弁の開弁中に、調理部内の液体量が目標液体量以上であると検出された場合、送液弁を閉弁して電源を切るように制御することを含む。
【００９６】
当該技術的手段において、送液弁の開弁中に、調理部内の液体量が目標液体量以上であると検出された場合、送液弁を閉弁して電源を切るように制御する。即ち、液体量を検出することにより、即時に送液弁を閉弁して電源を切るように制御することで、液体量供給の正確性を向上させ、一方では、送液弁の動作時間を効果的に低減させ、送液弁のモータが焼損する可能性をさらに低減する。
【００９７】
上記いずれかの技術的手段において、好ましくは、提示情報は音響提示情報、光学提示情報、振動提示情報及び通信提示情報のうちの少なくとも１つを含む。
【００９８】
当該技術的手段において、調理部内に入った液体量が目標液体量より小さいと判定された場合、送液弁を閉じたままにして電源を切るように制御し、給液不足という提示情報を生成し、調理部内に液体量を供給し続けることを多様かつ直感的にユーザに提示できるだけでなく、調理部内の液体供給故障の有無を確認するようにユーザを案内したり、現場メンテナンスサービスを積極的に実行するようにアフターサービス担当者に指示したりすることもできる。
【００９９】
ここで、光学提示情報は調理器具のインジケーターライトを介して発せられ、音響提示情報は調理器具のスピーカーを介して発せられ、振動提示情報は調理器具のバイブレータを介して発せられ、通信提示情報はルータ、モバイルホットスポット、通信インタフェース及びＷｉ−Ｆｉ機器を介して関連する端末に転送される提示メッセージであり、関連端末は、サーバ、ユーザ端末、コンピュータ、ウェアラブルデバイス、及びスマートオーディオなどの機器であり得る。
【０１００】
以上、図面を参照して本願の技術的手段を詳細に説明した。本願は、送液弁の作動制御方法、装置、調理器具及び記憶媒体を提供し、所定量の液体材料が送液弁を介して調理部に入るように、給液命令に応答して送液弁を開弁させるように制御し、送液弁の開弁中に、開弁時間がタイミング時間以上であるか否かを検出し、調理部内の液体量が給液命令に対応する目標液体量以上であるか否かを検出し、最後に送液弁の開弁中の検出結果に基づいて、送液弁を閉じたままにして電源を切るように制御するか、又は送液弁を再度開弁して液体を供給するように制御し、これにより、送液弁の長時間連続作動により発熱して焼損を引き起こす可能性を効果的に低減することができる。
【０１０１】
本願の方法におけるステップは実際のニーズに応じて順序調整、併合、及び削除が可能である。
【０１０２】
本願の装置におけるモジュールは実際のニーズに応じて併合、分割、及び削除が可能である。
【０１０３】
当業者であれば、上記の実施例の様々な方法におけるステップの全部又は一部が、プログラムによって関連するハードウェアを指示して完了することができることを理解するであろう。該プログラムは、コンピュータ読み取り可能な記憶媒体に記憶されてもよく、記憶媒体は読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、プログラマブル読み取り専用メモリ（Ｐｒｏｇｒａｍｍａｂｌｅ  Ｒｅａｄ−ｏｎｌｙ  Ｍｅｍｏｒｙ、ＰＲＯＭ）、消去可能なプログラマブル読み取り専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、ＥＰＲＯＭ）、ワンタイムプログラマブル読み取り専用メモリ（Ｏｎｅ−ｔｉｍｅ  Ｐｒｏｇｒａｍｍａｂｌｅ  Ｒｅａｄ−Ｏｎｌｙ  Ｍｅｍｏｒｙ、ＯＴＰＲＯＭ）、電子消去可能なプログラマブル読み取り専用メモリ（Ｅｌｅｃｔｒｉｃａｌｌｙ−Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、読み取り専用光ディスク（Ｃｏｍｐａｃｔ  Ｄｉｓｃ  Ｒｅａｄ−Ｏｎｌｙ  Ｍｅｍｏｒｙ、ＣＤ−ＲＯＭ）又は他の光ディスクメモリ、磁気ディスクメモリ、テープメモリ、又はデータの運搬又は記憶に使用できるコンピュータ読み取り可能な任意のその他の媒体を含む。
【０１０４】
以上は、本願の好適な実施例に過ぎず、本願を限定するものではなく、当業者であれば、本願は、様々な修正及び変更が可能である。本願の精神及び原則の範囲内で行われたいかなる修正、均等物、改良などは、本願の保護範囲に含まれるものとする。
【図１】
2021526697.tif 000003
【図２】
2021526697.tif 000004
【図３】
2021526697.tif 000005
【図４】
2021526697.tif 000006
【国際調査報告】
2021526697.tif 000007
2021526697.tif 000008
2021526697.tif 000009
2021526697.tif 000010
2021526697.tif 000011